【手続補正書】
【提出日】平成16年10月6日(2004.10.6)
【手続補正１】
【補正対象書類名】明細書
【補正対象項目名】特許請求の範囲
【補正方法】変更
【補正の内容】
【特許請求の範囲】
【請求項１】
ネットワーク上でサーバコンピュータにより公開された文書ファイルの一部を印刷して得られた原稿を読み取って第１の画像データを得る原稿読取手段と、
前記第１の画像データから前記文書ファイルの所在を表す所在情報を認識する所在情報認識手段と、
前記第１の画像データに含まれる一部または全部の文字列を認識する文字列認識手段と、
前記所在情報に基づいて前記サーバコンピュータに前記文書ファイルの転送要求を送信する文書ファイル転送要求送信手段と、
前記サーバコンピュータから前記文書ファイルを受信する文書ファイル受信手段と、
前記文書ファイルから前記文字列を検索する文字列検索手段と、
前記文書ファイルのうち検索した前記文字列を含む所定範囲の文書ファイルデータを第２の画像データに変換する画像データ変換手段と、
前記第２の画像データを他の機器に送信する画像データ送信手段と、
を有することを特徴とする画像処理装置。
【請求項２】
ネットワーク上でサーバコンピュータにより公開された文書ファイルの一部を印刷して得られた原稿を読み取って第１の画像データを得る原稿読取手段と、
前記第１の画像データから前記文書ファイルの所在を表す所在情報を認識する所在情報認識手段と、
前記第１の画像データに含まれる一部または全部の文字列を認識する文字列認識手段と、
前記所在情報に基づいて前記サーバコンピュータに前記文書ファイルの転送要求を送信する文書ファイル転送要求送信手段と、
前記サーバコンピュータから前記文書ファイルを受信する文書ファイル受信手段と、
前記文書ファイルから前記文字列を検索する文字列検索手段と、
前記文書ファイルのうち検索した前記文字列を含む所定範囲の文書ファイルデータを第２の画像データに変換する画像データ変換手段と、
前記第２の画像データを画像形成する画像形成手段と、
を有することを特徴とする画像処理装置。
【請求項３】
前記文字列認識手段は、前記第１の画像データの先頭から所定文字数の先頭文字列を認識するものであり、
前記文字列検索手段は、前記文書ファイルから前記先頭文字列を検索するものであり、
前記画像データ変換手段は、前記文書ファイルのうち検索した前記文字列から始まる所定範囲の文書ファイルデータを第２の画像データに変換するものである、
請求項１または２に記載の画像処理装置。
【請求項４】
前記文字列認識手段は、さらに前記第１の画像データの最後尾から所定数の最後尾文字列を認識するものであり、
前記文字列検索手段は、さらに前記文書ファイルから前記最後尾文字列を検索するものであり、
前記画像データ変換手段は、前記文書ファイルのうち検索した前記先頭文字列から前記最後尾文字列までの範囲の文書ファイルデータを第２の画像データに変換するものである、
請求項３に記載の画像処理装置。
【請求項５】
前記第１の画像データに含まれる総文字数を計測する文字数計測手段をさらに有し、
前記画像データ変換手段は、前記文書ファイルのうち検索した前記先頭文字列から前記総文字数を含む範囲の文書ファイルデータを第２の画像データに変換するものである、
請求項３に記載の画像処理装置。
【請求項６】
前記転送要求は、前記文書ファイルを所定容量に分割した分割文書ファイルを転送するよう要求するものであり、
前記文書ファイル転送要求送信手段は、前記文書ファイル受信手段が前記所定範囲を含む前記分割文書ファイルを受信するまで前記転送要求を順次送信することを特徴とする、
請求項１〜５のいずれか１項に記載の画像処理装置。
【請求項７】
ネットワーク上でサーバコンピュータにより公開された文書ファイルの一部を印刷して得られた原稿を読み取って第１の画像データを得る段階（１）と、
前記第１の画像データから前記文書ファイルの所在を表す所在情報を認識する段階（２）と、
前記第１の画像データに含まれる一部または全部の文字列を認識する段階（３）と、
前記所在情報に基づいて前記サーバコンピュータに前記文書ファイルの転送要求を送信する段階（４）と、
前記サーバコンピュータから前記文書ファイルを受信する段階（５）と、
前記文書ファイルから前記文字列を検索する段階（６）と、
前記文書ファイルのうち検索した前記文字列を含む所定範囲の文書ファイルデータを第２の画像データに変換する段階（７）と、
前記第２の画像データを他の機器に送信する段階（８）と、
を有することを特徴とする画像処理方法。
【請求項８】
ネットワーク上でサーバコンピュータにより公開された文書ファイルの一部を印刷して得られた原稿を読み取って第１の画像データを得る段階（１）と、
前記第１の画像データから前記文書ファイルの所在を表す所在情報を認識する段階（２）と、
前記第１の画像データに含まれる一部または全部の文字列を認識する段階（３）と、
前記所在情報に基づいて前記サーバコンピュータに前記文書ファイルの転送要求を送信する段階（４）と、
前記サーバコンピュータから前記文書ファイルを受信する段階（５）と、
前記文書ファイルから前記文字列を検索する段階（６）と、
前記文書ファイルのうち検索した前記文字列を含む所定範囲の文書ファイルデータを第２の画像データに変換する段階（７）と、
前記第２の画像データを画像形成する段階（９）と、
を有することを特徴とする画像処理方法。
【請求項９】
ネットワーク上でサーバコンピュータにより公開された文書ファイルの一部を印刷して得られた原稿を読み取って第１の画像データを得る手順（１）と、
前記第１の画像データから前記文書ファイルの所在を表す所在情報を認識する手順（２）と、
前記第１の画像データに含まれる一部または全部の文字列を認識する手順（３）と、
前記所在情報に基づいて前記サーバコンピュータに前記文書ファイルの転送要求を送信する手順（４）と、
前記サーバコンピュータから前記文書ファイルを受信する手順（５）と、
前記文書ファイルから前記文字列を検索する手順（６）と、
前記文書ファイルのうち検索した前記文字列を含む所定範囲の文書ファイルデータを第２の画像データに変換する手順（７）と、
前記第２の画像データを他の機器に送信する手順（８）と、
を画像処理装置に実行させることを特徴とする画像処理プログラム。
【請求項１０】
ネットワーク上でサーバコンピュータにより公開された文書ファイルの一部を印刷して得られた原稿を読み取って第１の画像データを得る手順（１）と、
前記第１の画像データから前記文書ファイルの所在を表す所在情報を認識する手順（２）と、
前記第１の画像データに含まれる一部または全部の文字列を認識する手順（３）と、
前記所在情報に基づいて前記サーバコンピュータに前記文書ファイルの転送要求を送信する手順（４）と、
前記サーバコンピュータから前記文書ファイルを受信する手順（５）と、
前記文書ファイルから前記文字列を検索する手順（６）と、
前記文書ファイルのうち検索した前記文字列を含む所定範囲の文書ファイルデータを第２の画像データに変換する手順（７）と、
前記第２の画像データを画像形成する手順（９）と、
を画像処理装置に実行させることを特徴とする画像処理プログラム。
【請求項１１】
請求項９または１０に記載の画像処理プログラムを記録したコンピュータ読取可能な記録媒体。
【請求項１２】
段階（３）は、前記第１の画像データの先頭から所定文字数の先頭文字列を認識するものであり、
段階（６）は、前記文書ファイルから前記先頭文字列を検索するものであり、
段階（７）は、前記文書ファイルのうち検索した前記文字列から始まる所定範囲の文書ファイルデータを第２の画像データに変換するものである、
請求項７または８に記載の画像処理方法。
【請求項１３】
段階（３）は、さらに前記第１の画像データの最後尾から所定数の最後尾文字列を認識するものであり、
段階（６）は、さらに前記文書ファイルから前記最後尾文字列を検索するものであり、
段階（７）は、前記文書ファイルのうち検索した前記先頭文字列から前記最後尾文字列までの範囲の文書ファイルデータを第２の画像データに変換するものである、
請求項１２に記載の画像処理方法。
【請求項１４】
前記第１の画像データに含まれる総文字数を計測する段階（１０）をさらに有し、
段階（７）は、前記文書ファイルのうち検索した前記先頭文字列から前記総文字数を含む範囲の文書ファイルデータを第２の画像データに変換するものである、
請求項１２に記載の画像処理方法。
【請求項１５】
前記転送要求は、前記文書ファイルを所定容量に分割した分割文書ファイルを転送するよう要求するものであり、
段階（４）は、前記文書ファイル受信手段が前記所定範囲を含む前記分割文書ファイルを受信するまで前記転送要求を順次送信することを特徴とする、
請求項７もしくは８、または請求項１２〜１４のいずれか１つに記載の画像処理方法。
【請求項１６】
手順（３）は、前記第１の画像データの先頭から所定文字数の先頭文字列を認識するものであり、
手順（６）は、前記文書ファイルから前記先頭文字列を検索するものであり、
手順（７）は、前記文書ファイルのうち検索した前記文字列から始まる所定範囲の文書ファイルデータを第２の画像データに変換するものである、
請求項９または１０に記載の画像処理プログラム。
【請求項１７】
手順（３）は、さらに前記第１の画像データの最後尾から所定数の最後尾文字列を認識するものであり、
手順（６）は、さらに前記文書ファイルから前記最後尾文字列を検索するものであり、
手順（７）は、前記文書ファイルのうち検索した前記先頭文字列から前記最後尾文字列までの範囲の文書ファイルデータを第２の画像データに変換するものである、
請求項１６に記載の画像処理プログラム。
【請求項１８】
前記第１の画像データに含まれる総文字数を計測する手順（１０）をさらに画像処理装置に実行させるものであり、
手順（７）は、前記文書ファイルのうち検索した前記先頭文字列から前記総文字数を含む範囲の文書ファイルデータを第２の画像データに変換するものである、
請求項１６に記載の画像処理プログラム。
【請求項１９】
前記転送要求は、前記文書ファイルを所定容量に分割した分割文書ファイルを転送するよう要求するものであり、
手順（４）は、前記文書ファイル受信手段が前記所定範囲を含む前記分割文書ファイルを受信するまで前記転送要求を順次送信することを特徴とする、
請求項９もしくは１０、または請求項１６〜１８のいずれか１つに記載の画像処理プログラム。
【請求項２０】
請求項１６〜１９のいずれか１つに記載の画像処理プログラムを記録したコンピュータ読取可能な記録媒体。